(57)【要約】 【課題】自分が付与したしおり情報と、他人が付与したしおり情報の双方を表示させ、なおかつ、自分のしおり情報と他人のしおり情報とを区別してユーザーに提示することができる表示装置及びしおり表示制御プログラムを提供することを課題とする。【解決手段】複数のページデータで構成される文書データを表示する表示装置であって、ユーザーを識別するためのユーザーＩＤ等の識別情報の入力を受け付ける入力受け付け手段と、表示手段に前記ページデータを表示する際に、各前記ユーザーの所望のページデータに含まれる前記識別情報を含むしおり情報であって、表示対象のページデータに含まれる前記しおり情報を抽出する抽出手段と、前記抽出されたしおり情報のうち、前記入力受け付け手段によって入力を受け付けた識別情報を含むしおり情報と、前記入力受け付け手段によって入力を受け付けた識別情報を含まないしおり情報と、を区別して前記表示手段に表示するしおり表示制御手段と、を有することを特徴とする。【選択図】図２
2010182257.tif 000002
【特許請求の範囲】
【請求項１】
複数のページデータで構成される文書データを表示する表示装置であって、
ユーザーを識別するための識別情報の入力を受け付ける入力受け付け手段と、
表示手段に前記ページデータを表示する際に、各前記ユーザーの所望のページデータに含まれる前記識別情報を含むしおり情報であって、表示対象のページデータに含まれる前記しおり情報を抽出する抽出手段と、
前記抽出されたしおり情報のうち、前記入力受け付け手段によって入力を受け付けた識別情報を含むしおり情報と、前記入力受け付け手段によって入力を受け付けた識別情報を含まないしおり情報と、を区別して前記表示手段に表示するしおり表示制御手段と、
を有することを特徴とする表示装置。
【請求項２】
請求項１に記載の表示装置において、
前記しおり表示制御手段は、前記表示対象のページデータに含まれる主データに基づいて前記表示手段に表示される主画像に前記しおり情報を重ね合わせて表示し、前記入力受け付け手段によって入力を受け付けた識別情報を含まないしおり情報を、半透明、又は前記入力受け付け手段によって入力を受け付けた識別情報を含むしおり情報より小さいサイズにて表示することを特徴とする表示装置。
【請求項３】
請求項１又は請求項２に記載の表示装置において、
前記ユーザー毎に予め設定された前記しおり情報に関するしおり設定情報を、各前記識別情報に対応付けて記憶する記憶手段を有し、
前記しおり表示制御手段は、前記記憶手段を参照して、前記入力受け付け手段によって入力を受け付けた識別情報に対応する前記しおり設定情報を取得し、取得されたしおり設定情報に従って、前記入力受け付け手段によって入力を受け付けた識別情報を含むしおり情報を表示することを特徴とする表示装置。
【請求項４】
請求項３に記載の表示装置において、
前記しおり設定情報は、前記表示手段の表示画面における前記しおり情報の表示位置を示す表示位置情報を含み、
前記しおり表示制御手段は、前記しおり設定情報に含まれる前記表示位置情報に従って、前記入力受け付け手段によって入力を受け付けた識別情報を含むしおり情報を表示することを特徴とする表示装置。
【請求項５】
請求項３又は請求項４に記載の表示装置において、
前記しおり設定情報は、特定のユーザーの識別情報を特定ユーザー識別情報として含み、
前記しおり表示制御手段は、前記抽出されたしおり情報のうち、前記特定ユーザー識別情報にかかる識別情報を含むしおり情報を、前記入力受け付け手段によって入力を受け付けた識別情報を含むしおり情報と所定距離以内の範囲にて表示することを特徴とする表示装置。
【請求項６】
請求項１乃至請求項５のいずれか一項に記載の表示装置において、
前記しおり表示制御手段は、前記入力受け付け手段によって入力を受け付けた識別情報を含まないしおり情報の表示態様を切り換える表示切替手段を有することを特徴とする表示装置。
【請求項７】
請求項１乃至請求項６のいずれか一項に記載の表示装置において、
前記表示手段は、それぞれ独立に制御できる複数の分割表示モニタから成り、
前記しおり表示制御手段は、前記複数の分割表示モニタのうち、前記しおり情報を表示することができる最小の数の前記分割表示モニタに当該しおり情報を表示することを特徴とする表示装置。
【請求項８】
請求項１乃至請求項７のいずれか一項に記載の表示装置として機能させることを特徴とするしおり表示制御プログラム。
【発明の詳細な説明】
【技術分野】
【０００１】
本発明は、電子ペーパー等の携帯型表示装置等の表示装置に適用され、文書データを構成するページデータが記憶されたメモリカード等の記憶媒体からページデータを読み出して表示する表示装置及びしおり表示制御プログラムに関するものである。
【背景技術】
【０００２】
従来より、文書データを構成するページデータが記憶されたメモリカード等の記憶媒体から、順次ページデータを読み出して、或いは、ネットワークを通じて文書データをＲＡＭ（Random Access Memory）にダウンロードし、当該ＲＡＭから順次ページデータを読み出して表示モニタに表示する表示装置がある。
【０００３】
このような表示装置の一例として、近年、電気泳動表示パネルにより構成された表示装置に関する技術の開発が進められている。
【０００４】
この電気泳動表示パネルによる表示装置は、表示の書換えが可能で、軽く、薄く、柔らかいことから、紙や書籍のような感覚で利用することができるため、電子ペーパーと呼ばれることもある。この電子ペーパー型表示装置は、更に、表示書換え時にのみ電力を消費する等の省電力性に優れているという利点もある。
【０００５】
このような表示装置を用いて、ユーザーが、順次ページデータを表示モニタに表示させながら読書をした場合に、途中で読書を中断し、しばらく時間を置いてから再び読み始める場合や、ユーザーが読書中に再び後で読み返えすことを所望する場合がある。
【０００６】
このような場合に、かかる中断ページや再読ページにしおりデータを付与することにより、ユーザーが再読時に、中断ページや再読ページを即時表示させる技術がある。
【０００７】
例えば、特許文献１には、電子書籍を再読する場合、予め入力した再読箇所を示すしおりデータを選択することにより、再読箇所のしおりマーク及びこれに対応する書籍データを表示する電子書籍装置が開示されている。
【先行技術文献】
【特許文献】
【０００８】
【特許文献１】特開２００１−１２５９２１号公報
【発明の概要】
【発明が解決しようとする課題】
【０００９】
しかしながら、電子ペーパー型表示装置が、複数のユーザーで使用される場合、複数のユーザーがしおりデータをおのおの入力するため、表示されたしおりマークが、誰が付与したしおりマークなのか（誰が入力したしおりデータに基づくものなのか）わからないという問題があった。
【００１０】
本発明は、上述したような課題に鑑みてなされたものであり、自分が付与したしおり情報と、他人が付与したしおり情報の双方を表示させ、なおかつ、自分のしおり情報と他人のしおり情報とを区別してユーザーに提示することができる表示装置及びしおり表示制御プログラムを提供することを課題とする。
【課題を解決するための手段】
【００１１】
上記課題を解決するために、請求項１に記載の発明は、複数のページデータで構成される文書データを表示する表示装置であって、ユーザーを識別するための識別情報（例えば、ユーザーＩＤ）の入力を受け付ける入力受け付け手段と、表示手段に前記ページデータを表示する際に、各前記ユーザーの所望のページデータに含まれる（例えば、ヘッダに付加）前記識別情報（例えば、ユーザーＩＤ）を含むしおり情報であって、表示対象のページデータに含まれる前記しおり情報を抽出する抽出手段と、前記抽出されたしおり情報のうち、前記入力受け付け手段によって入力を受け付けた識別情報を含むしおり情報（例えば、自分のしおり）と、前記入力受け付け手段によって入力を受け付けた識別情報を含まないしおり情報（例えば、他人のしおり）と、を区別して前記表示手段に表示するしおり表示制御手段と、を有することを特徴とする表示装置である。
【００１２】
この発明によれば、表示手段にページデータを表示する際、入力受け付け手段が入力を受け付けたユーザーＩＤ等の識別情報を含むしおり情報と、これ以外のしおり情報、つまり、入力を受け付けたユーザーＩＤ等の識別情報を含まないしおり情報と、を区別して表示手段に表示することができるので、例えば、ユーザーが自分のユーザーＩＤを入力した場合に、自分のしおり情報だけでなく、他人のしおり情報も表示されるので、他人の嗜好も一目で把握でき、かつ、自分のしおり情報が、他人のしおり情報と区別して表示されるので、より判りやすいしおり表示を実現することができる。
【００１３】
また、しおり情報をページデータに含み、ページデータを表示する際に、当該ページデータからしおり情報を抽出して表示するよう構成したので、ページデータを表示する際に、容易にしおり情報を抽出して表示させることができる。
【００１４】
上記課題を解決するために、請求項２に記載の発明は、請求項１に記載の表示装置において、前記しおり表示制御手段は、前記表示対象のページデータに含まれる主データに基づいて前記表示手段に表示される主画像に前記しおり情報を重ね合わせて表示し、前記入力受け付け手段によって入力を受け付けた識別情報を含まないしおり情報（例えば、他人のしおり）を半透明、又は前記入力受け付け手段によって入力を受け付けた識別情報を含むしおり情報（例えば、自分のしおり）より小さいサイズにて表示することを特徴とする表示装置である。
【００１５】
この発明によれば、ページデータに含まれる文書データなどの主データに基づいて、文書画像等の主画像を表示する際に、しおり情報を当該主画像に重ね合わせて表示し、例えば他人のしおり等の入力を受け付けた識別情報を含まないしおり情報を半透明、或いは、自分のしおり等の入力を受け付けた識別情報を含むしおり情報よりも小さいサイズにて表示するので、他人のしおり等のしおり情報を、主画像の閲覧を邪魔することなく表示してユーザーに提示することができる。
【００１６】
上記課題を解決するために、請求項３に記載の発明は、請求項１又は請求項２に記載の表示装置において、前記ユーザー毎に予め設定された前記しおり情報に関するしおり設定情報（例えば、色、形、サイズ、表示位置、特別ユーザー設定等）を、各前記識別情報に対応付けて記憶する記憶手段を有し、前記しおり表示制御手段は、前記記憶手段を参照して、前記入力受け付け手段によって入力を受け付けた識別情報に対応する前記しおり設定情報を取得し、取得されたしおり設定情報に従って、前記入力受け付け手段によって入力を受け付けた識別情報を含むしおり情報（例えば、自分のしおり）を表示することを特徴とする表示装置である。
【００１７】
この発明によれば、予め設定されたしおり設定情報に従って、自分のしおり等のしおり情報を表示することができる。
【００１８】
上記課題を解決するために、請求項４に記載の発明は、請求項３に記載の表示装置において、前記しおり設定情報は、前記表示手段の表示画面における前記しおり情報の表示位置を示す表示位置情報を含み、前記しおり表示制御手段は、前記しおり設定情報に含まれる前記表示位置情報に従って、前記入力受け付け手段によって入力を受け付けた識別情報を含むしおり情報（例えば、自分のしおり）を表示することを特徴とする表示装置である。
【００１９】
この発明によれば、しおり設定情報に含まれる表示位置情報に従って、自分のしおり等のしおり情報を表示することができる。
【００２０】
上記課題を解決するために、請求項５に記載の発明は、請求項３又は請求項４に記載の表示装置において、前記しおり設定情報は、特定のユーザーの識別情報を特定ユーザー識別情報として含み、前記しおり表示制御手段は、前記抽出されたしおり情報のうち、前記特定ユーザー識別情報にかかる識別情報を含むしおり情報（例えば、特定ユーザーのしおり）を、前記入力受け付け手段によって入力を受け付けた識別情報を含むしおり情報（例えば、自分のしおり）と所定距離以内（例えば、１ｃｍ以内等）の範囲にて表示することを特徴とする表示装置である。
【００２１】
この発明によれば、しおり設定情報に含まれる特定ユーザー識別情報に従って、特定ユーザーのしおり等のしおり情報を、自分のしおり等のしおり情報の１ｃｍ以内など所定距離以内で表示することができる。
【００２２】
上記課題を解決するために、請求項６に記載の発明は、請求項１乃至請求項５のいずれか一項に記載の表示装置において、前記しおり表示制御手段は、前記入力受け付け手段によって入力を受け付けた識別情報を含まないしおり情報（例えば、他人のしおり）の表示態様を切り換える表示切替手段を有することを特徴とする表示装置である。
【００２３】
この発明によれば、他人のしおり等のしおり情報の表示態様を、例えば、ユーザー自身の好みに応じて、切り換えることができる。
【００２４】
上記課題を解決するために、請求項７に記載の発明は、請求項１乃至請求項６のいずれか一項に記載の表示装置において、前記表示手段は、それぞれ独立に制御できる複数の分割表示モニタから成り、前記しおり表示制御手段は、前記複数の分割表示モニタのうち、前記しおり情報を表示することができる最小の数の前記分割表示モニタに当該しおり情報を表示することを特徴とする表示装置である。
【００２５】
この発明によれば、しおり情報の表示制御を行なう際の消費電力を抑制することができる。
【００２６】
上記課題を解決するために、請求項８に記載の発明は、コンピュータを、請求項１乃至請求項７の何れか一項に記載の表示装置として機能させることを特徴とするしおり表示制御プログラムである。
【発明の効果】
【００２７】
本発明によれば、表示手段にページデータを表示する際、入力受け付け手段が入力を受け付けたユーザーＩＤ等の識別情報を含むしおり情報と、これ以外のしおり情報、つまり、入力を受け付けたユーザーＩＤ等の識別情報を含まないしおり情報と、を区別して表示手段に表示することができるので、例えば、ユーザーが自分のユーザーＩＤを入力した場合に、自分のしおり情報だけでなく、他人のしおり情報も表示されるので、他人の嗜好も一目で把握でき、かつ、自分のしおり情報が、他人のしおり情報と区別して表示されるので、より判りやすいしおり表示を実現することができる。
【００２８】
また、しおり情報をページデータに含み、ページデータを表示する際に、当該ページデータからしおり情報を抽出して表示するよう構成したので、ページデータを表示する際に、容易にしおり情報を抽出して表示させることができる。
【図面の簡単な説明】
【００２９】
【図１】本実施形態に係る携帯型表示装置１の概要構成例を示すブロック図である。
【図２】本実施形態に係る携帯型表示装置１の正面図である。
【図３】（Ａ）は、ページデータのデータ構造の一例を示す図であり、（Ｂ）は、ヘッダ領域のデータ構造の一例を示す図である。
【図４】表示部１０６の表示の一例である。
【図５】しおり画像の一例である。
【図６】特定ユーザーのしおり情報の表示例である。
【図７】携帯型表示装置１のＣＰＵ１０１において実行される「しおり付与処理」の動作を示すフローチャートである。
【図８】携帯型表示装置１のＣＰＵ１０１において実行される「しおり表示処理」の動作を示すフローチャートである。
【図９】ステップＳ２１の「しおり情報抽出処理」を示すフローチャートである。
【図１０】ステップＳ２２の「表示処理」を示すフローチャートである。
【図１１】表示部１０６を分割表示モニタ１０６ａ、１０６ｂ、１０６ｃ、・・・１０６ｉにて構成した場合の説明図である。
【発明を実施するための形態】
【００３０】
以下、本発明の実施の形態を図面を参照して説明する。
【００３１】
なお、以下に説明する実施の形態は、自分のしおり情報と他人のしおり情報とを区別して表示する携帯型表示装置１に本発明を適用した場合の実施形態である。
【００３２】
始めに、図１等を参照して、本実施形態に係る携帯型表示装置１の構成及び動作概要について説明する。
【００３３】
図１は、本実施形態に係る携帯型表示装置１の概要構成例を示すブロック図であり、図２は、本実施形態に係る携帯型表示装置１の正面図である。
【００３４】
図１に示すように、携帯型表示装置１は、携帯型表示装置１全体を統括制御するＣＰＵ（Central Processing Unit）１０１と、ファームウエア等を記憶するＲＯＭ（Read Only Memory）１０２と、各種制御プログラム（しおり表示制御プログラムを含む）やユーザー設定等のデータを記憶するフラッシュＲＯＭ１０３と、ＣＰＵ１０１の制御処理に必要なデータを一時的に記憶するＲＡＭ（Random Access Memory）１０４と、決定キー１０５ａ、拡大キー１０５ｂ、縮小キー１０５ｃ、右キー１０５ｄ及び左キー１０５ｅ等のページめくりキー、及び電源キー１０５ｆ等から構成され、入力受け付け手段としてユーザーからの指示をＣＰＵ１０１に供給する操作キー１０５と、例えば、電気泳動表示パネルや液晶表示パネル等により構成され、文書データに基づいて文書画像を表示画面に表示する表示部１０６と、ＣＰＵ１０１からの指示に基づき表示部１０６による表示を制御する表示コントローラ１０７と、しおり設定情報を記憶するしおり設定情報ＤＢ（データベース）１１２と、を備えている。
【００３５】
また、携帯型表示装置１は、例えばリチウムイオン電池等から構成されるバッテリー１０８と、バッテリー１０８に対する充電を制御する充電コントローラ１０９と、メモリカードドライブ等により構成され、ＣＰＵ１０１からの指示に基づきメモリカードドライブに挿入されたメモリカードＭＣに対してデータの書き込み及び読み出しを行なうメモリカードＩ／Ｆ（インターフェース）１１０と、携帯型表示装置１とパーソナルコンピュータ等の外部装置とを有線または無線により接続してデータを送受信するためのインターフェース処理を行なう通信Ｉ／Ｆ１１１と、を備えている。
【００３６】
そして、ＣＰＵ１０１と、ＲＯＭ１０２、フラッシュＲＯＭ１０３、ＲＡＭ１０４、操作キー１０５、表示コントローラ１０７、充電コントローラ１０９、メモリカードＩ／Ｆ１１０及び通信Ｉ／Ｆ１１１、しおり設定情報ＤＢ１１２とは、バスを介して相互に接続されている。
【００３７】
メモリカードＭＣには、文書データを構成する複数のページデータが記憶されており、メモリカードＩ／Ｆ１１０が当該メモリカードＭＣからページデータを読み出し、装置正面に設けた表示部１０６の表示画面に当該ページデータに基づく文書画像を表示するようになっている。
【００３８】
図３（Ａ）は、ページデータのデータ構造の一例を示す図である。
【００３９】
ページデータは、表示部１０６に表示される文書画像（主画像の一例）を示す主データによる実画像領域と、付加データとしてのヘッダ領域により構成されている。
【００４０】
図３（Ａ）に示す例の場合、斜線にて示した実画像領域には、主データであるビットマップデータ（.ｂｍｐ）が記憶され、ヘッダ領域には、付加データであるバイナリデータ（.ｂｉｎ）が記憶されている。
【００４１】
図３（Ｂ）は、ヘッダ領域のデータ構造の一例を示す図である。
【００４２】
ヘッダ領域には、「しおり情報」がバイナリデータ（.ｂｉｎ）にて記憶されている。
【００４３】
「しおり情報」は、ユーザーを識別するためのユーザーＩＤ等の識別情報を含む。例えば、図３（Ｂ）に示す例の場合、当該ページデータに「しおり情報」を付与したユーザーＩＤ「userＩＤ_Ａ」、ユーザーＩＤ「userＩＤ_Ｃ」及びユーザーＩＤ「userＩＤ_Ｄ」を含むしおり情報がそれぞれ記憶されている。
【００４４】
更に、ヘッダ領域には、インデックス数Ｎが記憶されている。このインデックス数とは、当該ページデータに付与された「しおり情報」の数を示す。
【００４５】
後述する「しおり付与処理」に従って、ユーザーが所望の文書画像にしおりを付与する操作を行なうことにより、当該文書画像を構成するページデータのヘッダ領域に当該ユーザーのユーザーＩＤを含む「しおり情報」が記憶されることとなる。
【００４６】
図４は表示部１０６の表示の一例である。
【００４７】
図４に示す例は、図３（Ｂ）のヘッダ領域を含むページデータに基づいて表示された例であり、例えば、図示しない文字入力画面において、ユーザーが操作キー１０５の右キー１０５ｄ及び左キー１０５ｂ等を操作することにより、ユーザーＩＤ「userＩＤ_Ａ」を入力してログインした場合の表示例である。
【００４８】
なお、ユーザーＩＤと、各ユーザーＩＤに対応するパスワードと、が図示しないユーザーパスワード記憶部に予め登録されており、ユーザーが、ユーザーＩＤと共にパスワードを入力することにより、ユーザーパスワード記憶部に予め登録済みのユーザーＩＤとパスワードの組と照合を行ない、入力されたユーザーＩＤとパスワードの組が、予め登録されたユーザーＩＤとパスワードの組に一致した場合にのみ、入力されたユーザーＩＤにてログインを許可するよう構成すれば、セキュリティ上なお好ましい。なお、ユーザーパスワード記憶部は、携帯型表示装置１内部に備えてもよく、或いは、他のサーバ装置に備えて、入力されたユーザーＩＤとパスワードの組を通信Ｉ／Ｆ１１１及びネットワークを介して他のサーバ装置へ送信し、他のサーバ装置から、照合結果を受信するよう構成してもよい。
【００４９】
そして、表示部１０６に表示される文書画像のページデータのヘッダ領域から、しおり情報を抽出し、抽出したしおり情報に基づいて「しおり画像」を生成し、表示部１０６に表示される文書画像（主データに基づいて表示される主画像）に合成して表示する。
【００５０】
「しおり画像」とは、ヘッダ領域から抽出されたしおり情報、すなわち、自己のしおり情報（ログイン中のユーザーＩＤを含むしおり情報の一例）と、他人のしおり情報（ログイン中のユーザーＩＤを含まないしおり情報の一例）とを含むものであり、表示部１０６に表示される文書画像に重ね合わせて表示される。なお、文書画像の上にしおり画像が重ね合わさるよう表示されることが好ましい。
【００５１】
図５は、図３（Ｂ）に示すヘッダ領域に基づいて生成されたしおり画像の一例であり、ログイン中であるユーザーＩＤ「userＩＤ_Ａ」を含むしおり情報と、それ以外のユーザーＩＤ「userＩＤ_Ｃ」及びユーザーＩＤ「userＩＤ_Ｄ」を含むしおり情報と、が区別して表示される。
【００５２】
各しおり情報は、全て実表示としてもよいが、図５に示すように、ログイン中であるユーザーＩＤ「userＩＤ_Ａ」のしおり情報は実表示され、他のユーザーＩＤ「userＩＤ_Ｃ」及びユーザーＩＤ「userＩＤ_Ｄ」を含むしおり情報は半透明表示とすることが好ましい。
【００５３】
なお、実表示とは、例えば、有色かつ不透明表示を指し、下に重ねあわせられた文書画像が視認できない表示であることが好ましい。
【００５４】
また半透明表示とは、下に重ねあわせられた文書画像が視認できるような表示であって、例えば、所定の色（白色を含む）と主画像の色の混色を表示することによる透過表示や、所定の色の網掛け表示等、従来公知の半透明表示技術を適用できる。
【００５５】
図４に示す例の場合、文書画像の「□  インフォメーション」の部分のうち、「□  イン」部分が半透明表示の他人のユーザーＩＤ「userＩＤ_Ｃ」及びユーザーＩＤ「userＩＤ_Ｄ」のしおり情報が重ね合わせられており、「フォメーション」部分と比べて表示が不鮮明となっている。言い換えれば、不鮮明ではあるが、視認の障害とはなっておらず、視認可能である。
【００５６】
また、半透明表示のほか、他のユーザーＩＤ「userＩＤ_Ｃ」及びユーザーＩＤ「userＩＤ_Ｄ」を含むしおり情報を、ログイン中であるユーザーＩＤ「userＩＤ_Ａ」のしおり情報よりも小さいサイズで表示してもよい。つまり、他人のしおり情報も自分のしおり情報と同じく実表示とした場合であっても、他人のしおり情報のサイズを、自分のしおり情報のサイズよりも小さく構成することにより、他人のしおり情報による文書画像の視認の障害度合いを、自分のしおり情報による文書画像の視認の障害度合いよりも少なくすることができる。
【００５７】
このように、ログインした（入力を受け付けた）ユーザーＩＤを含むしおり情報と、それ以外のユーザーＩＤを含むしおり情報、つまり、ログインしたユーザーＩＤを含まないしおり情報と、を区別して表示部１０６に表示することができるので、例えば、ユーザーが自分のユーザーＩＤを入力した場合に、自分のしおり情報だけでなく、他人のしおり情報も表示されるので、他人の嗜好も一目で把握でき、かつ、自分のしおり情報は実表示、他人のしおり情報は半透明表示や小さいサイズで表示する等、区別して表示されるので、より判りやすいしおり表示を実現することができる。
【００５８】
例えば、文書データがある専門性の高い機械や装置のマニュアルである場合に、当該機械や装置を使用する開発チームに属する複数のユーザーで１台の携帯型表示装置１を使用するような場合に、自分が付与したしおり情報だけでなく、他のユーザーがどのページにしおり情報を付与したのかを一目で把握することができる。
【００５９】
更に、他人のしおり情報は、下に重ねあわせられた文書画像が視認できるよう半透明表示や小さいサイズの表示としたので、文書画像の閲覧を邪魔することなく、他人のしおり情報を表示させることができる。
【００６０】
また、自分のしおり情報は、表示部１０６の表示画面において右上に付与し、更に、自分のしおり情報と他人のしおり情報とを所定範囲以上離して表示させることが好ましい。図４に示す例の場合、自分のしおり情報を表示部１０６の表示画面において右上に付与し、他人のしおり情報を左上に付与した。
【００６１】
また、他人のしおり情報（ログイン中のユーザーＩＤを含まないしおり情報）を、実表示したり、非表示としたり、自分のしおり情報（ユーザーＩＤを含むしおり情報）よりも暗く（明度を低く）表示したり、明るく（明度を高く）表示してもよい。
【００６２】
そして、例えば、制御部１０１を、表示切替手段として機能させ、他人のしおり情報（ログイン中のユーザーＩＤを含まないしおり情報）を、実表示とするか、非表示とするか、半透明表示とするか、或いは自分のしおり情報よりも小さいサイズで表示するか、自分のしおり情報よりも暗く表示するか、明るく表示するか等の表示態様を切り換えるよう構成することもできる。この場合、ユーザーが操作部１０５を操作することによって選択するよう構成すればよい。
【００６３】
更に、しおり情報をページデータに含むよう構成し、ページデータに基づいて文書画像を表示する際に、当該ページデータからしおり情報を抽出して表示するよう構成したので、容易にしおり情報を抽出して表示させることができる。
【００６４】
また、しおり設定情報ＤＢ１１２を記憶手段として機能させ、ユーザーＩＤ毎に、表示するしおり情報の形や色、形、表示位置、特定ユーザーＩＤなどのしおり設定情報を予め登録しておき、しおり画像を生成する際に、当該しおり設定情報ＤＢ１１２を参照してしおり画像を生成し、しおり情報を表示させることもできる。
【００６５】
表１は、しおり設定情報ＤＢ１１２に登録されたしおり設定情報の一例である。
【００６６】
【表１】
2010182257.tif 000003
表１に示す例では、しおり設定情報として、「しおりデザイン情報」、「しおり表示位置情報」、及び「特定ユーザーＩＤ」（特定ユーザー識別情報の一例）が、各ユーザーＩＤ（userＩＤ_Ａ、userＩＤ_Ｃ、userＩＤ_Ｂ・・・・、userＩＤ_Ｅ）に対応付けて登録（記憶）されている。
【００６７】
「しおりデザイン情報」は、しおり情報の色や形やサイズに関する情報である。
【００６８】
また、「しおり表示位置情報」は、表示部１０６の表示画面におけるしおり情報の表示位置を示し、図４に示した例では、自分のしおり情報を表示画面の右上に付与したが、しおり表示位置情報として、ユーザーの好みに応じて適宜設定することができる。
【００６９】
また、「特定ユーザーＩＤ」は、他のユーザーのうち、自己のしおり情報の所定範囲内にて表示させることを所望するユーザーのユーザーＩＤである。
【００７０】
ここで、所定範囲内とは、表示部１０６の表示画面の形状やサイズ、自己のしおり情報のサイズ、しおり画像のサイズ等によって適宜定めることができ、例えば、表示部１０６の表示画面がＡ４サイズ（210mm×297mm）であって、図４に示すように、しおり画像を表示画面の短手側（210mm）の端にて合成する場合には、所定範囲を１ｃｍ等と定める。
【００７１】
例えば、ユーザーＩＤ「userＩＤ_Ａ」にてログインし、図３（Ｂ）のヘッダ領域を含むページデータに基づいて文書画像を表示する場合、自分のしおり情報（ログイン中のユーザーＩＤ「userＩＤ_Ａ」のしおり情報）は、表１のしおり設定情報のuserＩＤ_Ａに対応付けられたしおりデザイン情報＜しおりデータＡ＞、しおり表示位置情報＜表示位置（ｘ_Ａ、ｙ_Ａ）＞に基づいて表示される。
【００７２】
そして、図６に示すように、他のユーザーＩＤ「userＩＤ_Ｃ」及びユーザーＩＤ「userＩＤ_Ｄ」のうち、特定ユーザーＩＤ＜userＩＤ_Ｃ＞のしおり情報は、ユーザーＩＤ「userＩＤ_Ａ」のしおり情報の１ｃｍ以内に表示させる。
【００７３】
このように、しおり設定情報ＤＢ１１２に、しおり設定情報を予め登録しておくことにより、自分のしおり情報（ログイン中のユーザーＩＤ「userＩＤ_Ａ」のしおり情報）を、しおり設定情報のしおりデザイン情報等に従って表示させることができる。
【００７４】
また、しおり設定情報に、更に特定ユーザーＩＤを登録しておくことにより、特定ユーザーＩＤのしおり情報を、自分のしおり情報（ログイン中のユーザーのしおり情報）の所定範囲内で表示させることができる。
【００７５】
更に、ユーザーが、「他人のしおり情報は、非表示とする」よう選択をした場合であっても、特定ユーザーのみは表示させる、などといった応用構成も可能である。
【００７６】
従って、任意の開発チームに属する複数のユーザーで１台の携帯型表示装置１を使用するような場合に、当該開発チームの責任者であるユーザーＩＤ「userＩＤ_Ｅ」が、表１に示すように、自分以外の全てのユーザーのユーザーＩＤを特定ユーザーＩＤとして登録しておけば、仮に、「他人のしおり情報は、非表示とする」よう選択をした場合でも、特定ユーザーＩＤとして登録されている開発チームに属する他のユーザーのしおり情報を確認することができる。
【００７７】
次に、フローチャートを参照して、携帯型表示装置１の動作について説明する。
【００７８】
図７は、携帯型表示装置１のＣＰＵ１０１において実行される「しおり付与処理」の動作を示すフローチャートであり、例えば、図２に示すようにページデータに基づく文書画像が表示部１０６に表示されているときに、ユーザーによって操作キー１０５が操作され、しおりの付与が指示された際に開始される。なお、当該しおり付与処理は、任意のユーザーＩＤにてログイン後に行なわれる処理である。
【００７９】
先ず、ＣＰＵ１０１は、表示部１０６に表示中のページデータのヘッダ領域にしおり情報を追記する（ステップＳ１１）。具体的には、表示部１０６に表示中のページデータのヘッダ領域のインデックス数Ｎを取得し、当該インデックス数Ｎ分先の番地に、ログイン中のユーザーＩＤを含むしおり情報を追記する。
【００８０】
そして、インデックス数Ｎを「１」インクリメントし（Ｎ←Ｎ＋１）（ステップＳ１２）、処理を終了する。
【００８１】
なお、表示中のページデータに対するしおり付与処理について説明したが、これに限定されず、例えば、文書データを指定し、文書データを構成する全てのページデータにしおり情報を付与するよう構成してもよく、或いは、文書データの所定のページ（例えば、見出しページ等）を指定し、指定したページに対応するページデータにしおり情報を付与するよう構成してもよい。
【００８２】
この場合、しおり情報を付与する全ページデータに対して、上記ステップＳ１１及びステップＳ１２の処理を行なう。
【００８３】
図８は、携帯型表示装置１のＣＰＵ１０１において実行される「しおり表示処理」の動作を示すフローチャートであり、例えば、任意のユーザーＩＤにてログイン処理が行なわれた後に、ページデータに基づく文書画像が表示されたとき、或いは、文書画像表示後に、ユーザーによって操作部１０５が操作され、しおり表示が指示された際に開始される。
【００８４】
なお、当該処理は、ユーザーによって操作部１０５が操作され、他者のしおり情報（ログイン中のユーザーＩＤを含まないしおり情報）の表示（半透明表示又は実表示）が選択（表示切替を含む）された場合の処理である。
【００８５】
先ず、ＣＰＵ１０１は、表示部１０６に表示中のページデータの「しおり情報抽出処理」を行ない（ステップＳ２１）、次いで、「表示処理」を行ない（ステップＳ２２）、処理を終了する。
【００８６】
図９はステップＳ２１の「しおり情報抽出処理」を示すフローチャートである。
【００８７】
先ず、ＣＰＵ１０１は、ページデータのヘッダ領域から、インデックス数Ｎを取得する（ステップＳ３１）。
【００８８】
次いで、抽出したしおり情報の数を示す変数Ｉを０として初期化し（ステップＳ３２）する。
【００８９】
続いて、変数Ｉがインデックス数Ｎより小さいか否かを判定し（ステップＳ３３）、変数Ｉがインデックス数Ｎより小さい場合には（ステップＳ３３：Ｙｅｓ）、ヘッダ領域からしおり情報を抽出し（ステップＳ３４）、変数Ｉを「１」インクリメント（Ｉ←Ｉ＋１）して（ステップＳ３５）、ステップＳ３３に移行する。
【００９０】
そして、変数Ｉがインデックス数Ｎ以上（Ｉ≧Ｎ）である場合（ステップＳ３３：Ｎｏ）に、ヘッダ領域の全てのしおり情報が抽出されたと判断し、処理を終了する。なお、ステップＳ３４にて抽出したしおり情報は、ＲＡＭ１０４等に一時的に記憶させておく。
【００９１】
図１０は、ステップＳ２２の「表示処理」を示すフローチャートである。
【００９２】
先ず、ＣＰＵ１０１は、上記「しおり情報抽出処理」にて抽出したしおり情報を、ＲＡＭ１０４等から取得する（ステップＳ４１）。
【００９３】
そして、しおり設定情報ＤＢ１１２のしおり設定情報に従い、取得したしおり情報に基づいてしおり画像を生成する（ステップＳ４２）。
【００９４】
そして、生成したしおり画像を、表示部１０６にページデータの主データに基づく文書画像に重ね合わせて表示（ステップＳ４３）し、処理を終了する。
【００９５】
なお、表示部１０６が、それぞれ独立して制御することができる複数の分割表示モニタにより構成されている場合には、しおり画像を表示することができる最小の数の分割表示モニタに当該しおり画像を表示することが好ましい。
【００９６】
図１１は、表示部１０６を分割表示モニタ１０６ａ、１０６ｂ、１０６ｃ、・・・１０６ｉにて構成した場合の説明図である。
【００９７】
図１１中、一点鎖線にて示す分割表示モニタ１０６ａ〜１０６ｉは、それぞれ独立して制御することができ、例えば、分割表示モニタ１０６ａ、１０６ｂ、１０６ｃのみ通電させ、その他の分割表示モニタ１０６ｄ〜１０６ｉへの通電を遮断したり、分割表示モニタ１０６ａ〜１０６ｉのうち、任意の分割表示モニタの表示のみを制御して表示更新処理を行ったりすることができるようになっている。
【００９８】
このように、表示部１０６がそれぞれ独立して制御することができる複数の分割表示モニタ１０６ａ〜１０６ｉによって構成されている場合に、しおり画像の大きさが１つの分割表示モニタの大きさ以下である場合には、文書画像を１つの分割表示モニタ内に表示させることが好ましく、しおり画像の大きさが１つの分割表示モニタの大きさよりも大きい場合には、しおり画像を表示することができる最小の数の分割表示モニタに表示することが好ましい。
【００９９】
図１１に示す例では、点線にて示すしおり画像を分割表示モニタ１０６ａ、１０６ｂ、１０６ｃにて文書画像に合成して表示している。
【０１００】
このように、表示部１０６がそれぞれ独立して制御することができる複数の分割表示モニタ１０６ａ〜１０６ｉによって構成されている場合に、しおり画像を表示することができる最小の数の分割表示モニタに合成して表示するよう構成すれば、ユーザーが操作部１０５を操作してしおり表示を選択した場合、他人のしおり情報を半透明表示から非表示としたり、或いは、半透明表示から非表示とするなど、ユーザーが表示切替を行なった場合に、再度しおり画像を生成して、文書画像に合成する必要があるが、この際、表示制御すべき分割表示モニタの数を最小限に留め、消費電力を抑制することができる。
【０１０１】
この構成は、表示部１０６が電源を切断しても表示を維持することができる電気泳動表示による表示手法である場合には、しおり画像の表示制御には当該しおり画像が表示された分割表示モニタのみ表示制御を行ない、しおり画像が表示されていない他の分割表示モニタは、文書画像の表示後は、電源を切断しておくことができるため特に有用である。
【０１０２】
なお、上述した実施形態においては、しおり設定情報ＤＢ１１２を記憶手段として機能させ、しおり設定情報を記憶させたが、これに限らず、ＲＡＭ１０４、ＲＯＭ１０２、或いはメモリカードＭＣ等を記憶手段として機能させてもよい。
【符号の説明】
【０１０３】
１  携帯型表示装置
１０１  ＣＰＵ
１０２  ＲＯＭ
１０３  フラッシュＲＯＭ
１０４  ＲＡＭ
１０５  操作キー
１０６  表示部
１０７  表示コントローラ
１０８  バッテリー
１０９  充電コントローラ
１１０  メモリカードＩ／Ｆ
１１１  通信Ｉ／Ｆ
１１２  しおり設定情報ＤＢ
ＭＣ  メモリカード
【図１】
2010182257.tif 000004
【図２】
2010182257.tif 000005
【図３】
2010182257.tif 000006
【図４】
2010182257.tif 000007
【図５】
2010182257.tif 000008
【図６】
2010182257.tif 000009
【図７】
2010182257.tif 000010
【図８】
2010182257.tif 000011
【図９】
2010182257.tif 000012
【図１０】
2010182257.tif 000013
【図１１】
2010182257.tif 000014